(57)【要約】追記型光記録媒体の欠陥領域を管理する方法およびこれを用いる光記録媒体を提供する。この方法は、データの再生動作中に検出された欠陥領域に対応する置き換えデータを所定の領域に書き込む第１の段階と、欠陥領域および対応する置き換えデータの各位置を示すローケータ情報を前記所定の領域に書き込む第２の段階と、前記所定の領域に書き込まれた前記ローケータ情報にアクセスするための補助アクセスポインタをリードイン領域に書き込む第３の段階とを含む。データ領域の内部または外部に位置する所定の領域は、ＢＤ−ＷＯディスクなどの追記型ディスク上でデータを記録した後、ホストにより欠陥領域が新たに検出されるとき、データの読み取り動作を可能にする補助欠陥リスト情報を保存する。
2006500723.tif 000002
【特許請求の範囲】
【請求項１】
データ領域およびリードイン領域を有する追記型光記録媒体の欠陥領域を管理する方法において、
データ再生動作中に検出された欠陥領域に対応する置き換えデータを所定の領域に書き込む第１の段階と、
前記欠陥領域および前記対応する置き換えデータのそれぞれの位置を示すローケータ情報を前記所定の領域に書き込む第２の段階と
を含むことを特徴とする方法。
【請求項２】
前記所定の領域に書き込まれた前記ローケータ情報にアクセスするためのアクセスポインタを前記リードイン領域に書き込む第３の段階をさらに含むことを特徴とする請求項１に記載の方法。
【請求項３】
前記所定の領域は、前記データ領域の一端に割り当てられた補助スペア領域であることを特徴とする請求項１に記載の方法。
【請求項４】
前記ローケータ情報は、欠陥リスト情報として書き込まれ、前記欠陥リスト情報は、前記置き換えデータの位置を示す第１の情報と、前記欠陥領域の位置を示す第２の情報と、前記欠陥領域と前記置き換えデータ間に存在する関係の種類を示すステータス情報とを含むことを特徴とする請求項１に記載の方法。
【請求項５】
前記ステータス情報は、置き換えデータの記録状態、置き換えデータのアドレス割当て、欠陥領域の確認、および置き換え領域の利用可能性のうち少なくとも一つを示すことを特徴とする請求項４に記載の方法。
【請求項６】
前記アクセスポインタは、ディスク定義構造情報として書き込まれることを特徴とする請求項２に記載の方法。
【請求項７】
前記ディスク定義構造情報は、前記ローケータ情報の物理セクター番号を含むことを特徴とする請求項６に記載の方法。
【請求項８】
前記ローケータ情報は、前記リードイン領域に書き込まれることを特徴とする請求項７に記載の管理方法。
【請求項９】
前記ディクス定義構造情報を読み取り、前記欠陥リストの前記物理セクター番号を参照して欠陥リストを検索する段階と、
前記欠陥リストの欠陥エントリーにアクセスしてそれを読み取り、前記置き換えデータを見つける段階と
をさらに含むことを特徴とする請求項８に記載の方法。
【請求項１０】
前記光記録媒体の欠陥管理動作にしたがってメモリを更新する段階をさらに含むことを特徴とする請求項９に記載の方法。
【請求項１１】
前記欠陥リストは、補助欠陥リストであることを特徴とする請求項９に記載の方法。
【請求項１２】
前記所定の領域は、前記データ領域の前に位置することを特徴とする請求項１に記載の方法。
【請求項１３】
前記所定の領域は、リードイン領域であることを特徴とする請求項１２に記載の方法。
【請求項１４】
前記所定の領域は、第１の欠陥リストと第２の欠陥リストを含むことを特徴とする請求項１２に記載の方法。
【請求項１５】
データ領域と、
前記データ領域の隣に配置されるリードイン領域と、
前記リードイン領域に位置し、データ記録ステージに関する第１の欠陥リストの情報にアクセスするための複数の書き込み位置を含むディスク定義構造情報を書き込むための欠陥管理領域と、
データ再生ステージに関する複数の置き換えデータクラスタを書き込むための所定の領域と
を備えることを特徴とする追記型光記録媒体。
【請求項１６】
前記所定の領域は、前記データ領域の一端に位置した補助スペア領域であることを特徴とする請求項１５に記載の光記録媒体。
【請求項１７】
前記ディスク定義構造情報は、前記複数の置き換えデータクラスタにアクセスするための第２の欠陥リストの情報をさらに含むことを特徴とする請求項１５に記載の光記録媒体。
【請求項１８】
前記第１の欠陥リストの情報は、前記データ領域に書き込まれることを特徴とする請求項１７に記載の光記録媒体。
【請求項１９】
前記第２の欠陥リストの情報は、前記所定の領域に書き込まれることを特徴とする請求項１８に記載の光記録媒体。
【請求項２０】
前記第１の欠陥リストの情報は、前記リードイン領域に書き込まれることを特徴とする請求項１７に記載の光記録媒体。
【請求項２１】
前記第２の欠陥リストの情報は、前記リードイン領域に書き込まれることを特徴とする請求項２０に記載の光記録媒体。
【請求項２２】
前記データ領域、前記リードイン領域および前記欠陥管理領域は、ＢＤ−ＷＯ標準ごとに割り当てられることを特徴とする請求項１５に記載の光記録媒体。
【請求項２３】
隣り合って配置されるデータ領域およびリードイン領域を有する追記型光記録媒体との間でデータを光学的に記録／再生するプログラム可能なデバイスを有するシステムにおいて、
前記プログラム可能なデバイスは、
データの再生動作中に検出された欠陥領域に対応する置き換えデータを所定の領域に書き込む第１の手段と、
前記欠陥領域および前記対応する置き換えデータの各位置を示すローケータ情報を前記所定の領域に書き込む第２の手段と、
前記所定の領域に書き込まれた前記ローケータ情報にアクセスするためのアクセスポインタを前記リードイン領域に書き込む第３の手段と
を備えることを特徴とするシステム。
【請求項２４】
前記プログラム可能なデバイスは、
ディスク定義構造情報を読み取り、前記欠陥リストの物理セクター番号を参照して欠陥リストを検索する手段と、
前記欠陥リストの欠陥エントリーにアクセスしてそれを読み取り、前記置き換えデータを見つける手段と
をさらに備えることを特徴とする請求項２３に記載のシステム。
【発明の詳細な説明】
【技術分野】
【０００１】
本発明は光記録方法および媒体に関し、特に、ＷＯＲＭ型光記録媒体上の欠陥領域を管理する方法と、この方法を用いた光記録媒体に関する。この方法は、特に、ＢＤ−ＷＯとして知られている近年開発されたブルーレイ・ディスクフォーマット（Ｂｌｕ−ｒａｙ  ｄｉｓｋ  ｆｏｒｍａｔ）を用いた追記型光ディスク（ｗｒｉｔｅ−ｏｎｃｅ  ｏｐｔｉｃａｌ  ｄｉｓｃ）に記録されたデータを再生するために適用される。
【背景技術】
【０００２】
光読み取り／書込み手段を用いるデータ記録デバイスおよび媒体は、一般的に、書き込み機能または書き込みの自由度に基づいて分類される。読み取り専用の光記録媒体の中にはＣＤ−ＲＯＭフォーマットやＤＶＤ−ＲＯＭフォーマットを用いた光記録媒体が含まれ、これらの光記録媒体は書き込み機能を備えていない。複数の書き込み動作を自由に実行できる公知のディスク標準の中には、ＣＤ−ＲＷ、ＤＶＤ−ＲＡＭ、ＤＶＤ−ＲＷおよびＤＶＤ＋ＲＷ型が含まれ、これらは、書き換え型コンパクトディスクやＤＶＤ（ｄｉｇｉｔａｌ  ｖｅｒｓａｔｉｌｅ  ｄｉｓｃ）である。
【０００３】
一方、ＷＯＲＭ型ディスクは、大きな記憶容量を必要とするデータ保存デバイスとして用いられる場合に採用される。しかしながら、このようなディスクは記録の自由度が制限されており、追記型（ｗｒｉｔｅ−ｏｎｃｅ  ｒｅａｄ−ｍａｎｙ）の用途で使用されることを目的とする。これらは、記録可能なコンパクトディスクやＤＶＤであるＣＤ−ＲやＤＶＤ−Ｒ型を含む。
【０００４】
一方、ブルーレイ・ディスクとして知られており、青紫色レーザを用いて高品質のオーディオおよびビデオデータを記録する大容量光ディスクである、新しい種類の高密度ＤＶＤが開発されている。ブルーレイ・ディスクは、ＢＤ−ＲＥとして知られている書き換え型ディスクフォーマットを採用している。
【０００５】
上述した種類の光記録媒体にあっては、それらの製造中、操作中、または使用中に、表面欠陥および不良が生じる。したがって、データ再生を正常に実行するために、データの記録動作中に欠陥領域を管理する方法が用いられる。
【０００６】
図１を参照すると、ＢＤ−ＲＥフォーマットのディスク等の光記録媒体１０２と共に使用される光ディスク記録／再生デバイス１００は、ホスト（またはコントローラ）２００から送られるデータ／コマンド入力を受け取る。光ディスク記録／再生デバイス１００は、挿入された光記録媒体との間でデータの書込み／読み取りを行う光ピックアップ１０４、光ピックアップを制御し正確なトラッキングを達成し光記録媒体の表面との距離を制御して維持するピックアップサーボ１０６、光ピックアップから受信した再生信号を所望の信号値に復元することによって、あるいは、ホストから受信した記録信号をディスクに転送するために変調することによって、光ピックアップへ送るデータ及び光ピックアップから受け取るデータを処理するデータプロセッサ１０８、ホストと記録／再生デバイス間でデータを転送するインタフェース１１０、記録／再生デバイスを制御するマイクロプロセッサ１１２、プログラムを保存し、欠陥管理情報とデータを含む各種情報を一時的に保存するメモリ１１４を備える。ホスト２００と保存されたプログラムの制御のもと、光ピックアップ１０４は、ディスクに保存された（又は書き込まれた）データを読み取り、データ信号入力をデータプロセッサ１０８に供給することによって再生処理及び再生出力を行い、そして、データプロセッサから出力される書き込み信号を用いてディスクの指定領域にデータを書き込む。書き込み動作中、光ディスク記録／再生デバイス１００は、データストリーム（又は、エンコードされたアナログ信号）を受け取り、ホスト２００から入力されたコマンドと、メモリ１１４に格納されマイクロプロセッサ１１２によって実行されるプログラムとにしたがって、書き込み信号を光ピックアップ１０４に出力する。
【０００７】
図２を参照すると、図１のデバイスと共に使用されるＢＤ−ＲＥ型ディスクは、割り当てられた領域に分割される。割り当てられた領域は、原則的に、リードイン領域（ｌｅａｄ−ｉｎ  ａｒｅａ：ＬＩＡ）とリードアウト領域（ｌｅａｄ−ｏｕｔ  ａｒｅａ：ＬＯＡ）との間に設定されるデータ領域を備える。データ領域は、リードイン領域と隣り合う内部スペア領域（ｉｎｎｅｒ  ｓｐａｒｅ  ａｒｅａ：ＩＳＡ）と、リードアウト領域と隣り合う外部スペア領域（ｏｕｔｅｒ  ｓｐａｃｅ  ａｒｅａ：ＯＳＡ）とを含む。
【０００８】
上述したように、光ディスク記録／再生デバイス１００は、ホスト２００からの入力データを処理し、そのデータをエラー訂正コードブロック単位に対応するクラスタで光ディスクに書き込む。書き込み動作中にデータ領域に欠陥領域が存在することが検出されると、光ディスク記録／再生デバイス１００は、一連の置き換え書き込み動作（ｒｅｐｌａｃｅｍｅｎｔ  ｗｒｉｔｅ  ｏｐｅｒａｔｉｏｎ）を実行し、検出された欠陥領域に対応するデータクラスタ（ｄａｔａ  ｃｌｕｓｔｅｒ）を２つのスペア領域のうち一方（図２の例では、ＩＳＡ）に書き込む。欠陥領域のデータクラスタを欠陥領域ではなくスペア領域に書き込むことによって、データをスペア領域から読み取り、再生することができる。したがって、光ディスクがデータ領域内の欠陥を示した場合であっても、書き込みエラーの発生を防ぎ、その結果、データの安全性およびデータの完全性が確保される。
【０００９】
上述したような方法は、書き換え型ディスクが使用されるため、データ記録領域に自由にアクセスできる光記録媒体を用いて実行される。したがって、光ディスク記録／再生デバイスは、欠陥領域のデータを管理するにあたり、記録領域を制限なく使用できる。しかしながら、ＷＯＲＭ型ディスクを使用する場合、記録動作が一度だけ実行され、ユーザが通常のデータ検索動作を実行できる前に記録動作が完了していなければならない。さらに、書き込み動作（特に、置き換え書き込み動作）は、記録後に生じた欠陥及び記録済みのＷＯＲＭ型ディスクを再生している間に検出された欠陥を管理するために可能でなければならない。
【００１０】
例えば最近、ＢＤ−ＷＯとして知られているフォーマットを用いた別の種類のブルーレイ・ディスクが開発された。追記型ディスクであるＢＤ−ＷＯ型ディスクは、ディスク上の欠陥領域を管理するための既知の方法を利用することができない。というのは、この種類のディスクフォーマットの標準化はつい最近開始されたばかりであるからである。すみやかに解決することが必須である。
【発明の開示】
【発明が解決しようとする課題】
【００１１】
本発明は、光ディスク又はＢＤ−ＷＯ等の追記型光記録媒体上の欠陥領域を管理する方法に関し、この方法は、実質的に、関連技術の制限および不都合に起因する１又は複数の問題を未然に防ぐ。
【００１２】
本発明は上記の問題を解決するために考案されたものであり、本発明の目的は、追記型光記録媒体上の欠陥領域を管理する方法を提供することにあり、この方法によって、ディスクの欠陥領域への書き込みデータ及びディスクの欠陥領域からの読み取りデータは、移動され（書き換えられ）、その結果、データを欠陥領域に対応する代替のデータ領域（スペア領域）に書き込む置き換え書き込み動作の実行を通じて、管理される。
【００１３】
本発明の別の目的は、追記型光記録媒体上の欠陥領域を管理する方法を提供することにあり、この方法によって、データ再生（読み取り）動作中に検出された１又は複数の欠陥領域の存在には関係なく、データの記録動作が完了した後に通常のデータ再生が達成される。
【００１４】
本発明の別の目的は、追記型光記録媒体を用いて、特にＢＤ−ＷＯ型ディスクから読み取るホストコンピュータを用いることで、及び、データ記録中に線形置き換え技術（ｌｉｎｅａｒ  ｒｅｐｌａｃｅｍｅｎｔ  ｔｅｃｈｎｉｑｕｅ）を採用することで、データの安全性およびデータの完全性を提供することにある。
【００１５】
本発明の別の目的は、追記型光記録媒体上の欠陥領域を管理する方法を提供することであり、これによって、ＢＤ−ＷＯの標準化が促進される。
【００１６】
本発明の別の目的は、上述した方法を採用するのに適した光記録媒体を提供することにある。
【００１７】
本発明の別の目的は、上述した方法を採用する光記録媒体を利用するのに適したシステムを提供することにある。
【００１８】
本発明のさらなる特徴及び利点は以下の説明に記載される。また、当業者であれば、以下の説明は明白であり、本発明を実施することにより理解することができる。本発明の目的及び他の利点は、本明細書、特許請求の範囲及び添付の図面において特に示された主題によって実現され達成される。
【課題を解決するための手段】
【００１９】
本発明にしたがってこれらの目的及び他の効果を達成するため、本明細書で具体化されかつ広範に記述されているように、データ領域およびリードイン領域を有する追記型光記録媒体の欠陥領域を管理する方法であって、データの再生動作中に、検出された欠陥領域に対応する置き換えデータを所定の領域に書き込む第１の段階と、欠陥領域および対応する置き換えデータのそれぞれの位置を指し示すローケータ情報（ｌｏｃａｔｏｒ  ｉｎｆｏｒｍａｔｉｏｎ）を所定の領域に書き込む第２の段階とを含む方法が提供される。望ましくは、この方法は、所定の領域に書き込まれたローケータ情報にアクセスするための補助アクセスポインタをリードイン領域に書き込む第３の段階をさらに含む。所定の領域は、データ領域の一端に割り当てられた補助スペア領域であり、そこには、ローケータ情報が補助欠陥リスト情報として書き込まれる。一方、所定の領域は、第１および第２の欠陥リスト、すなわち、従来の欠陥リストおよび補助欠陥リストの両方を含むように、データ領域の前、すなわち、リードイン領域に位置する。本発明の方法を採用した光記録媒体の動作において、ディスク定義構造情報は、最初に、補助欠陥リストの物理セクター番号を参照することによって補助欠陥リストを検索するために読み取られ、次に、補助欠陥リストの補助欠陥エントリーは、置き換えデータを見つけるためにアクセスされ読み取られる。
【００２０】
本発明の別の態様は、データ領域、データ領域に隣り合って配置されるリードイン領域、リードイン領域に位置し、データ記録ステージに関する欠陥リスト情報にアクセスするための複数の書き込み位置を含むディスク定義構造情報を書き込むための欠陥管理領域、および、データ領域の一端に位置し、データ再生ステージに関する複数の置き換えクラスタを書き込むための補助スペア領域を備える追記型光記録媒体を提供する。望ましくは、欠陥リスト情報は、データ領域またはリードイン領域に書き込まれ、補助欠陥リスト情報は、補助スペア領域またはリードイン領域に書き込まれる。
【００２１】
本発明の他の態様は、追記型光記録媒体へのデータ／追記型光記録媒体からのデータを光学的に記録／再生するプログラム可能なデバイスを備えるシステムを提供する。このデバイスは、データを記録し、記録済みのデータを再生するステップ等の、本発明の方法に必要なステップを実行するようにプログラムすることができる。
【００２２】
ＢＤ−ＷＯ型ディスクなどの光記録媒体に対して本発明の方法を採用することによって、特に、線形置き換え技術を使用するホストコンピュータを用いたデータの読み取り動作中に、データの安全性およびデータの完全性が保証される。
【００２３】
本発明に関する上述した説明及び以下の詳細な説明は、いずれも例示的で説明的なものであって、特許請求の範囲に記載された本発明をさらに説明するためのものであることが理解されよう。
【発明を実施するための最良の形態】
【００２４】
以下、添付した図面に基づき、本発明の好適な実施の形態について詳細に説明する。図中、類似する構成要素は、同じ符号又は類似の符号を使用して示される。
【００２５】
図３に示すように、本発明の方法を採用したＢＤ−ＷＯは、リードイン領域（ＬＩＡ）、データ領域、リードアウト領域（ＬＯＡ）を有する。図３のＢＤ−ＷＯディスクを用いてデータを記録するとき、図１の光ディスク記録／再生デバイス１００は、データ領域のユーザデータ領域（図示せず）内の所定の書き込みセクターに対して時間的に連続した方式でデータを書き込む。書き込み動作は、データ記録が完了するまで、又は、最終記録セクターに記録されるまで進行する。書き込みの各段階を、データ記録ステージと称する。
【００２６】
所定の書き込みセクターは、欠陥検証ユニット（ｄｅｆｅｃｔ  ｖｅｒｉｆｉｃａｔｉｏｎ  ｕｎｉｔ：ＤＶＵ）として設定され、これにより、データ記録ステージの間、各ＤＶＵ後に実行される書き込み後の検証（ｖｅｒｉｆｙ−ａｆｔｅｒ−ｗｒｉｔｅ）動作を用いて欠陥領域が検出される。１のＤＶＵは、任意の数の物理トラックまたはクラスタと同じサイズの記録サイズを有する。本発明の実施の形態を説明するにあたっては、便宜上、この記録サイズを恣意的に５クラスタに設定する。しかし、実際のＤＶＵサイズは、記録動作が完了次第に決定されるため、記録動作Ｓ１０が完了してからＤＶＵ  １のサイズが決定される。複数の欠陥検証ユニット（ＤＶＵ  １からＤＶＵ  ｎ）は、記録の一段階又は時間的連続性を有するデータ記録ステージを構成し、データ記録ステージ１、２、３の各々は、記録されるデータ量に依存した幾つかのＤＶＵから成り立つ。
【００２７】
書き込み後の検証動作は、光ディスク記録／再生デバイス１００により達成され、光ディスク記録／再生デバイス１００は、一連の検出動作を繰り返し実行し、一のＤＶＵへの書き込みデータに対応する欠陥領域の存在を判断する。各欠陥領域検出動作において、ＤＶＵに書き込まれたデータは、その記録状態を検証するために再生される。つまり、正常再生が可能であるように正常にデータが書き込まれたかどうかが判断される。正常再生を確認できない場合には、欠陥が存在すると判定される。
【００２８】
例えば、記録動作Ｓ１０を通じて、ＤＶＵ  １の物理クラスタ１−５内に順次かつ連続的にデータを書き込んだ後に、光ディスク記録／再生デバイス１００は、ＤＶＵ  １に書き込まれたデータを徐々に再生することにより記録後の検証動作を行い、正常な再生を検証する。それによって、光ディスク記録／再生デバイス１００は、欠陥領域が存在することを検出する。徐々に再生するにあたり、光ディスク記録／再生デバイス１００は、最初（または、次の所定位置）のクラスタから再開し、再生動作Ｓ１１を通じて、検証できない（ｕｎｖｅｒｉｆｉａｂｌｅ）データクラスタの発生を最初（または、次に）に検出するまで連続的に読むようにして、書き込まれたデータを読み取る。光ディスク記録／再生デバイス１００は、例えば物理クラスタ２内に欠陥領域が存在することを示す。次に、光ディスク記録／再生デバイス１００は、物理クラスタ２のためのデータを光ディスク記録／再生デバイス１００のメモリ１１４に一時的に保存する。一時的に保存された（バッファリングされた）データは、記録動作Ｓ１２を通じて、置き換え書き込み動作を実行するために使用され、欠陥クラスタに対応する置き換えデータは、ＤＶＵの最終物理クラスタに続いて、すなわち、物理クラスタ５の後にＤＶＵ  １の一部分として、置き換えクラスタ２’として書き込まれる。
【００２９】
前述した置き換え書き込み動作の完了後、光ディスク記録／再生デバイス１００は、再生動作Ｓ１３を通じて、ＤＶＵ  １のデータの再生を続行し、次のクラスタ、すなわち、物理クラスタ３に進む。例えば物理クラスタ４内に別の欠陥領域が検出された場合、光ディスク記録／再生デバイス１００は、記録動作Ｓ１４を通じて、別の置き換え書き込み動作を実行する。記録動作Ｓ１４では、欠陥クラスタのデータはバッファリングされ、次に、置き換えクラスタ２’に続いて置き換えクラスタ４’として書き込まれる。
【００３０】
再生動作Ｓ１５を通じてＤＶＵ  １に対する書き込み後の検証動作を継続してもさらに欠陥領域を見つけることができないと、データ記録ステージ１のＤＶＵ  １のデータ記録は完了する。したがって、最終的には、ＤＶＵ  １は、物理クラスタ１、３、５と、２つの欠陥領域と、欠陥領域に対応する置き換えクラスタ２’、４’のデータを含み、ＤＶＵ  １は全部で７つのクラスタにわたる。ＤＶＵ  ｎに対する記録動作および書き込み後の検証動作の実行によってデータ記録ステージ１が終結するまで、同じプロセスが各ＤＶＵに対して繰り返される。そうすることで、物理クラスタ６は、ＤＶＵ  ２の第１クラスタとして書き込まれる。
【００３１】
その後、ＤＶＵに対する書き込み後の検証動作の完了に続いて、光ディスク記録／再生デバイス１００は、各欠陥領域を識別し、対応する置き換えデータを識別するためのローケータ情報を書き込む。ローケータ情報は、物理セクター番号、すなわちＰＳＮの組として表現される複数の欠陥エントリー（欠陥エントリー１ないし欠陥エントリーｍ）を含む欠陥リスト（ＤＦＬ）情報として書き込まれる。各欠陥エントリーは、基本的には、欠陥ＰＳＮと置き換えＰＳＮの関係であり、欠陥ＰＳＮは欠陥領域の物理セクター番号であり、置き換えＰＳＮは置き換えデータ領域の物理セクター番号である。したがって、ＤＦＬ  １は、データ記録ステージ１に対応し、データ記録ステージ１のＤＶＵ  ｎに続いて書き込まれる。さらなるデータ記録ステージの場合には、対応するローケータ情報は、最新（最近）のデータ記録ステージの各ＤＶＵ  ｎに続いて各ＤＦＬに書き込まれる。
【００３２】
一方、光ディスク記録／再生デバイス１００は、ＬＩＡにディスク定義構造（ＤＤＳ）情報を書き込む。ＤＤＳ情報は、所与の欠陥リストを見つけるための物理セクター番号を含み、それは、ＤＦＬのＰＳＮと称し、欠陥リストのローケータ情報にアクセスする際に用いられる。ＤＤＳ情報は、データ記録ステージ毎に、ＤＦＬのＰＳＮ、すなわち、ＤＦＬ  １のＰＳＮからＤＦＬ  ｉのＰＳＮまでを含む。したがって、ＢＤ−ＷＯ型ディスク上に記録されたデータを再生する読み取り動作において、光ディスク記録／再生デバイス１００は、最初にＬＩＡを参照してＤＤＳ情報を読み取ることによって、ＤＦＬおよびその欠陥エントリーを検索する。そして、光記録ディスク／再生デバイス１００は、欠陥領域に対応する置き換えデータを突き止め、読み取り、再生させることができる。
【００３３】
図４は、本発明にしたがった、データ記録時にＢＤ−ＷＯ上の欠陥領域を管理する別の方法を示す図である。この方法において、スペア領域がデータ領域の一端に追加的に備わっている。この場合、スペア領域は、外部スペア領域（ＯＳＡ）として割り当てられる。便宜上、ＤＶＵの記録サイズは、先の場合と同様に５つの物理クラスタに設定され、欠陥領域は、同じ再生動作および記録動作を用いて、書き込み後の検証動作中に同じクラスタ内で検出される。つまり、書き込み後の検証動作が、欠陥領域が物理クラスタ２と４で検出されるＤＶＵ  １の物理クラスタに対して行われた後に、光ディスク記録／再生デバイス１００は欠陥クラスタのデータに対してそれぞれの置き換え書き込み動作を行う。ただし、この場合、置き換えデータはＯＳＡに書き込まれる。
【００３４】
ＤＶＵ  １は、結果的に２つの欠陥クラスタをもちつつ、物理クラスタ１、３、５の正常書き込みデータを含み、一方、ＯＳＡは、２つの欠陥クラスタに対応する置き換えクラスタ２’、４’の置き換えデータを含む。したがって、データ記録ステージ１はＤＶＵ  ２ないしＤＶＵ  ｎを継続し、光ディスク記録／再生デバイス１００は、ＤＶＵ  ｎに続いて、ＤＦＬ  １としてローケータ情報を書き込む。光ディスク記録／再生デバイス１００はＬＩＡ内にＤＤＳ情報を書き込む。ＤＤＳ情報には、ローケータ情報の全てのエントリーにアクセスするためのＤＦＬ  １ないしＤＦＬ  ｉのＰＳＮが含まれる。
【００３５】
これに対して、図５に示すように、光ディスク記録／再生デバイス１００は、記録中に、各データ記録ステージのＤＶＵ  ｎに続く代わりに、ＢＤ−ＷＯディスクのＯＳＡ内にＤＦＬ情報を書き込む。図面はＯＳＡの一端にＤＦＬ領域を示すが、ＤＦＬ情報は、外面的には書き込み動作を進めつつ、ある一端から徐々に書き込みが開始されてもよいし、あるいは、置き換えクラスタと一緒に中心に書き込まれてもよい。いずれにしても、データ再生はそれでもなお同じである。
【００３６】
データの再生時、光ディスク記録／再生デバイス１００は、最初に、ＬＩＡ内のＤＤＳ情報を読み取り、各ＤＦＬに対するＰＳＮを得て、次に、対応するＤＦＬを検索する。そして、欠陥エントリーの置き換えＰＳＮおよび欠陥ＰＳＮを参照することにより、置き換えデータをＯＳＡから、または、所定のデータ書き込みセクターから正常に再生することができる。ここで、ＤＤＳ情報を最初に読み取ることにより、ＤＦＬ情報の書き込み位置がデータ領域の内部に存在するかまたは外部に存在するかが判定される。
【００３７】
図６は、本発明の好適な実施の形態にしたがった、データ再生時にＢＤ−ＷＯディスク上の欠陥領域を管理する方法を示す図である。図６において、補助スペア領域（ＳＳＡ）は、本発明の方法を採用したＢＤ−ＷＯのデータ領域の一端、つまり、ＬＩＡまたはＬＯＡの隣に割り当てられる。
【００３８】
記録データを再生するとき、光ディスク記録／再生デバイス１００は、一連の読み取り動作を実行する。この読み取り動作において、ＤＦＬは、ＬＩＡ内に書き込まれたＤＤＳ情報を読み取ることよって検索され、欠陥リスト上の欠陥エントリーを参照することによって、スペア領域に書き込まれた置き換えデータ又は代替のデータ領域（例えば、ＳＳＡ）に書き込まれた置き換えデータを再生する。このデータの再生動作中に、データ記録領域内、又は、１又は複数の欠陥リスト内のいずれか一方にさらに新たに欠陥領域が検出される場合がある。
【００３９】
図６に示したＢＤ−ＷＯディスクにおいて、新たな欠陥領域はデータ再生動作中に検出される。新たな欠陥領域は初期のデータ記録動作では検出できない領域である。再生動作Ｓ１１０を通じてデータを再生する間に、新たな欠陥領域が物理クラスタｊ＋１で検出される場合、記録動作Ｓ１２０は置き換え書き込み動作を実行するように機能し、これにより、補助スペア領域に欠陥クラスタのデータが記録される。置き換え書き込み動作の後、データ再生は、物理クラスタｊ＋２に進み、したがって、再生動作Ｓ１３０を通じて記録ステージ１が完了するまで継続する。欠陥領域が、次に、例えば、ＤＦＬ  １内で検出される場合、欠陥リストは、新たに検出された欠陥クラスタに対する置き換えクラスタに続いて補助スペア領域に置き換えＤＦＬ  １’を記録することによって、記録動作Ｓ１４０を通じて置き換えられる。ここで、所与のＤＦＬの全てのクラスタを全体として置き換えても、又は、選択的にクラスタを置き換えてもよい。いずれの場合も、データの再生中に、新しく検出された全ての欠陥領域に対応するローケータ情報は、データ再生中に、欠陥領域管理のための補助欠陥リスト（ＳＤＦＬ）として補助スペア領域に保存される。
【００４０】
補助ＤＦＬは、複数の補助欠陥（ＳＤＦ）エントリー、すなわち、ＳＤＦエントリー１ないしＳＤＦエントリーｋを含み、各補助欠陥エントリーは、欠陥ＰＳＮ、置き換えＰＳＮ、ステータス情報を含む。ステータス情報は、ステータス１情報およびステータス２情報から構成されるが、ステータス２情報は、本実施形態では使用されない。ステータス１情報は、欠陥領域または欠陥領域であり可能性がある領域と、これらに対応する置き換えデータとの間に存在する関係の種類を示し、置き換えデータ記録状態、置き換えデータアドレス割当て、欠陥領域確認、置き換え領域の利用可能性などを含む。
【００４１】
一方、光ディスク記録／再生デバイス１００は、補助ＤＦＬに直接的にアクセスすることができる補助アクセスポインタをＬＩＡ内に書き込む。補助アクセスポインタは、ＤＤＳ情報のフィールドであって、補助ＤＦＬに対応する物理セクター番号を含む。
【００４２】
図６に示したように、データ再生の現ステージにおける補助スペア領域は、クラスタｊ＋１およびＤＦＬ  １における少なくとも一つの欠陥クラスタ内で、新たな欠陥領域と遭遇し、置き換えクラスタ（ｊ＋１）’、置き換えＤＦＬ  １’、補助ＤＦＬを含む。したがって、このステージにおいて、補助ＤＦＬは、対応する欠陥エントリーを含み、置き換えデータの付加クラスタは、データ再生が続くにつれて徐々に継続的に補助スペア領域に書き込まれる。所与のＤＦＬがデータ記録の各段階、つまり、各データ記録ステージに対応するのに対し、補助ＤＦＬはディスクの任意の部分の再生に対応する。
【００４３】
ディスクは、ＢＤ−ＷＯ型ディスク等の光記録媒体を用いたデータ再生時に、図１に示すプログラム可能なシステムに配置され、光ディスク記録／再生デバイス１００は、最初にＬＩＡ内のＤＤＳ情報を読み取り、補助ＤＦＬの物理セクター番号を参照することにより補助ＤＦＬを検索する。補助ＤＦＬのＳＤＦエントリーは、アクセスされ、読み取られ、再生中に新たに検出された欠陥領域に対応する置き換えデータを見つける。ここで、図面は補助スペア領域の一端の補助ＤＦＬ領域を示しているが、補助ＤＦＬ情報は、外面的には書き込み動作の進行を利用して、ある一端から徐々に書き込みが開始されてもよいし、又は、新たに検出された置き換えクラスタと一緒に中心に書き込まれてもよい。
【００４４】
図６による方法がデータ領域内に保存されたＤＦＬ情報およびＳＤＦＬ情報のいずれも有するＢＤ−ＷＯディスクに適用されるのに対して、欠陥領域管理、および正常なデータ再生に関する同じスキームは、それでもなお、ＤＦＬストーリッジに対するＬＩＡを活用するＢＤ−ＷＯディスクに適用可能である。つまり、ＤＦＬ情報およびＳＤＦＬ情報は、データ領域の外部に保存される。したがって、ＳＤＦＬ情報の書き込み位置がデータストリームの内部または外部にあるかどうかを判断するためにＤＤＳ情報を最初に読み取ることによって、置き換えデータをＳＳＡから又は所定のデータ書き込みセクターから正常に再生することができる。
【００４５】
図７は、本発明の他の好適な実施形態にしたがった、データ再生時にＢＤ−ＷＯディスク上の欠陥領域を管理する方法を示す図である。この場合、ＤＦＬおよびＳＤＦＬは、データ領域の前の所定の書き込みセクター、例えば、ＬＩＡ内に保存される。したがって、ＤＦＬ情報およびＳＤＦＬ情報はデータ領域の外部に保存される。
【００４６】
図８は、本発明の他の好適な実施形態にしたがった、データ再生時にＢＤ−ＷＯディスク上の欠陥領域を管理する方法を示す図である。この実施形態は、図５に示した記録動作と関連するが、補助ＤＦＬを有さない。ここで、データ再生動作中に新たな欠陥領域が検出され、この場合、クラスタｊ＋１は、図６および図７に示されるものと同様に欠陥として判定される。しかし、その置き換えクラスタ（ｊ＋１）’は、ＤＦＬと共にＯＳＡに書き込まれる。このため、この実施形態による方法は、記録動作及び再生動作の間の使用と同様に、より従来のディスク構造の使用が、欠陥管理、すなわち、置き換え記録のための別個の指定領域をもたない欠陥管理を有効にする。
【産業上の利用可能性】
【００４７】
以上述べたように、ＢＤ−ＷＯ型ディスク等の追記型光記録媒体の欠陥領域を管理する方法は、データの再生動作中にスペア領域または他のデータ領域上に置き換えデータとしてデータを書き込み、次に置き換えデータを管理することによって、ディスクの欠陥領域に書き込まれたデータを正常に読み取ることを可能にする。この方法は、例えば、ＤＦＬ情報に対する損傷により引き起こされる致命的な再生エラーの発生を防ぎ、データの読み取り動作時に検出される新たな欠陥領域を管理する。これにより、データの安全性およびデータの完全性が保証される。さらに、本発明の方法の採用は、適切な追記型光記録媒体を提供することによりＢＤ−ＷＯの標準化を容易にし、たとえ更なる欠陥領域がデータの読み取り動作中に新たに検出されたとしても、記録されたデータを読み取ることを可能にし、さらに、新たに検出された欠陥領域の管理を可能にする。
【００４８】
以上、本発明について詳細に説明したが、本発明は前述した実施の形態に限定されることなく、この技術分野における当業者であれば、本発明の技術的な範囲を逸脱しない範囲内で各種の修正および変形が可能である。よって、本発明の技術的な範囲は特許請求の範囲によって定められる。
【図面の簡単な説明】
【００４９】
【図１】関連技術の光ディスク記録／再生システムのブロック図である。
【図２】図１のシステムで使われるＢＤ−ＲＥディスク上の欠陥領域を管理する方法を示す図である。
【図３】本発明にしたがった、データ記録時にＢＤ−ＷＯディスク上の欠陥領域を管理する方法をそれぞれ示す図である。
【図４】本発明にしたがった、データ記録時にＢＤ−ＷＯディスク上の欠陥領域を管理する方法をそれぞれ示す図である。
【図５】本発明にしたがった、データ記録時にＢＤ−ＷＯディスク上の欠陥領域を管理する方法をそれぞれ示す図である。
【図６】本発明の好適な実施の形態にしたがった、データ再生時にＢＤ−ＷＯディスク上の欠陥領域を管理する方法を示す図である。
【図７】本発明の他の好適な実施の形態にしたがった、データ再生時にＢＤ−ＷＯディスク上の欠陥領域を管理する方法を示す図である。
【図８】本発明のさらに他の好適な実施の形態にしたがった、データ再生時にＢＤ−ＷＯディスク上の欠陥領域を管理する方法を示す図である。
【図１】
2006500723.tif 000003
【図２】
2006500723.tif 000004
【図３】
2006500723.tif 000005
【図４】
2006500723.tif 000006
【図５】
2006500723.tif 000007
【図６】
2006500723.tif 000008
【図７】
2006500723.tif 000009
【図８】
2006500723.tif 000010
【国際調査報告】
2006500723.tif 000011
2006500723.tif 000012